(57)【特許請求の範囲】
【請求項１】
複数の電極を有するマトリクス駆動型の平面ディスプレイパネルを支持するスタンド支柱を支持台に立設して構成され、前記スタンド支柱、支持台及び前記ディスプレイパネルの間に高周波電流ループが形成される表示装置において、
前記スタンド支柱が少なくとも２つ設けられ、
隣接する前記スタンド支柱間において前記支持台に上記高周波電流ループを抑制する絶縁構造物が設けられていることを特徴とする表示装置。
【請求項２】
前記支持台及び前記スタンド支柱がともに導電性材料を用いて形成されていることを特徴とする、請求項１記載の表示装置。
【請求項３】
前記絶縁構造物が前記支持台の途中を電気的に実質的に絶縁するスリットであることを特徴とする、請求項１または２のいずれかに記載の表示装置。
【請求項４】
前記支持台が少なくとも２つの台部分から構成され、該少なくとも２つの台部分の間に前記スリットが形成されていることを特徴とする、請求項３記載の表示装置。
【請求項５】
前記絶縁構造物が前記支持台の途中を電気的に絶縁する絶縁スペーサであることを特徴とする、請求項１または２のいずれかに記載の表示装置。
【請求項６】
前記支持台が少なくとも２つの台部分から構成され、該少なくとも２つの台部分が絶縁性のスペーサを介して電気的に絶縁された状態で接続されることを特徴とする、請求項５記載の表示装置。
【請求項７】
前記ディスプレイパネルのフレームグランドと前記スタンド支柱とが電気的に接続されていることを特徴とする、請求項１乃至６のいずれかに記載の表示装置。
【発明の詳細な説明】
【０００１】
【発明の属する技術分野】
本発明は支持装置及びそれを用いた表示装置に関し、例えばマトリクス駆動型の平面ディスプレイパネルを有するテレビあるいはディスプレイなどの表示装置の不要輻射ノイズを低減するシールド構造、特にノイズの高周波領域での特性改善を目標とした構造に関するものである。
【０００２】
【従来の技術】
従来のマトリクス駆動型の平面ディスプレイパネルを有する表示装置、例えばプラズマディスプレイパネル表示装置では平面ディスプレイパネルにマトリクス状の画素が形成されている。
【０００３】
以下、図面を参照しながら、従来のプラズマディスプレイパネル（以下、ＰＤＰという）表示装置について説明する。図１２は従来のＰＤＰの構成を説明するための斜視図、図１３は従来のＰＤＰの電極構造を説明するための斜視図である。ガラス基板等からなるＰＤＰパネル１０の非表示面側には保持板であるシャーシー１１が配置されており、シャーシー１１によってＰＤＰパネル１０が保持されている。シャーシー１１はアルミニウム系材料からなる導電性金属板であり、電気回路的にはフレームグランド（以下、ＦＧという）として機能するとともに、ＰＤＰパネル１０の背面ガラス基板２４に配設されているため、ＰＤＰパネル１０の電極１４のグランド面である電極グランドとして機能している。
【０００４】
ドライバー駆動回路１３ａ、１３ｂはシャーシー１１の背面側に配置されており、ドライバー駆動回路１３ａ、１３ｂから発生した信号はフレキシブルケーブル１５によってＰＤＰパネル１０の電極１４に伝えられる。走査・維持電極のドライバー駆動回路１３ａのシグナルグランド（以下、ＳＧという）は点Ｂ、Ｂ’で、書き込み電極のドライバー駆動回路１３ｂのＳＧは点Ｃ、Ｃ’で、ＦＧであるシャーシー１１に接地されており、ＦＧ、電極グランドであるシャーシー１１はドライバー駆動回路１３ａ、１３ｂの帰還電流が流れるグランド面である駆動回路帰還グランドとして機能している。
【０００５】
ＰＤＰパネル１０には表示面側の前面ガラス基板２０に維持電極１４ａ、走査電極１４ｂが設けられ、対向する背面ガラス基板２４に書き込み電極１４ｃが形成され、書き込み電極１４ｃの間にはプラズマ放電が隣の電極に影響を及ぼさないように、分離用の隔壁２２が形成されている。書き込み電極１４ｃの上には赤２３ａ、青２３ｂ、緑２３ｃの蛍光体が塗り分けられ、表示面側の前面ガラス基板２０と対向する背面ガラス基板２４の間の放電空間には放電ガスが封入されており、ドライバー駆動回路１３ａ、１３ｂによって選択されたセルがプラズマ放電し、赤２３ａ、青２３ｂ、緑２３ｃのそれぞれの蛍光体が発光することで、カラー画像を形成する。なお、図１３中、２１は誘電体層である。
【０００６】
しかしながら、上記のようなＰＤＰを情報処理装置等電波障害自主規制協議会（ＶＣＣＩ）の基準に基づく電波の不要輻射の項目について検討すると、維持電極１４ａ、走査電極１４ｂには１００Ｖｐ−ｐから２００Ｖｐ−ｐのパルス電圧の信号が印加され、書き込み電極１４ｃには３０Ｖｐ−ｐから１００Ｖｐ−ｐのパルス電圧の信号が印加され、上記信号の基本波及びそれらの高調波等の電磁妨害波を空中に放射するため、不要輻射ノイズレベルが大きく、他の電子機器に電磁的な悪影響を及ぼすという不具合があった。
【０００７】
また、ＦＧであるシャーシー１１には前述の電磁妨害波を発生する高周波成分が流れており、電気的に分離されているシャーシー１１とスタンド１２との間の浮遊容量によって、図１４の数値解析結果に示すように高周波電流ループ４１が形成され、電磁妨害波を空中に放射するため、不要輻射ノイズレベルが大きくなってしまう。数値解析は、シャーシーにノイズを給電してモーメント法により電磁波解析を行い、解析モデルを約３０００の要素で分割している。なお、図１４中、４０は電流ベクトルである。
【０００８】
この解決策として、図１５及び図１６に示すように、電磁妨害波を遮断することを目的として、アルミからなる導電性金属筐体３０と、銀蒸着による導電性膜又は導電性金属メッシュを表面に形成した導電性前面ガラス３１とによって電磁シールドを形成することにより、電磁妨害波を遮断する構造が採用されている。一般に、このような電磁シールド構造をとる場合、導電性金属筐体３０をＦＧとして機能させる。なお、図１５は改良された従来のＰＤＰの構成を説明するための図１６のＡ部位の断面図、図１６は改良された従来のＰＤＰ表示装置の概略斜視図である。また、図１５中、１６は金属性筐体３０に設けられたＰＤＰパネル取り付け部材で、ＦＧとして機能する。１８はシャーシー１１１をＰＤＰパネル取り付け部材１６に取り付けるボルト、１７は絶縁性のスペーサである。
【０００９】
【発明が解決しようとする課題】
しかしながら、上記のようなＰＤＰの電磁シールド構造を採用しても、大型の平面ディスプレイパネルを支持するスタンドは一般にデザインや機構上の制約及びコストを考慮し、導電性金属材料から形成されたものを使用する傾向があり、そのために、図１４に示される場合と同様に、ＦＧである金属筐体とスタンドとの間で電磁妨害波となる特定の周波数に対して共振が発生し、不要輻射ノイズレベルが大きくなってしまうという問題があった。
【００１０】
本発明は前記の問題に鑑み、平面ディスプレイパネルを支持するスタンドが特定の周波数に対して共振するのを抑制し、従来の構造に比して電磁妨害波の発生を抑えることができる支持装置を提供することを課題とする。
【００１１】
【課題を解決するための手段】
そこで、本発明に係る支持装置は、被支持体を支持するスタンド支柱を支持台に立設して構成され、前記スタンド支柱、支持台及び前記被支持体の間に高周波電流ループが形成される支持装置において、前記支持台又は前記スタンド支柱には上記高周波電流ループを抑制する絶縁構造部分が設けられていることを特徴とする。
【００１２】
このように構成することより、平面ディスプレイパネルを支持するスタンドの特定周波数に対する共振がなくなり、電磁妨害波の発生を抑制できる。
【００１３】
絶縁構造部分は具体的には次のような構成を採用することができる。即ち、前記支持台及び前記スタンド支柱をともに導電性材料を用いて形成し、前記支持台と前記スタンド支柱とを絶縁性のスペーサを介して連結し、前記支持台と前記スタンド支柱とを電気的に実質的に絶縁することにより、前記絶縁構造部分を構築することができる。
【００１４】
また、前記支持台を導電性材料を用いて形成し、前記スタンド支柱を絶縁性材料を用いて形成するようにしてもよい。この場合、その全体が導電性金属材料からなる従来のスタンドと同程度の機械的強度を有するように、前記支持台と前記スタンド支柱とを、前記スタンド支柱の径よりも大きい長さの対向部分をもって相互に接続するのが好ましい。
【００１５】
さらに、前記支持台及び前記スタンド支柱をともに導電性材料を用いて形成し、前記支持台には該支持台の途中を電気的に実質的に絶縁するスリットを形成することにより、前記絶縁構造部分を構築することができる。より具体的には、前記支持台を少なくとも２つの台部分から構成し、該少なくとも２つの台部分の間に前記スリットを形成する。
【００１６】
この場合、前記スタンド支柱を少なくとも２つ設け、隣接する前記スタンド支柱の間において前記支持台に前記スリットを形成するのがよい。
【００１７】
また、前記支持台の少なくとも２つの台部分を絶縁性のスペーサを介して電気的に絶縁された状態で接続することにより、前記絶縁構造部分を構築することもできる。この場合、十分な機械的強度を有するように、前記支持台の少なくとも２つの台部分を前記支持台の厚さよりも長い沿面距離の対向部分をもって相互に接続するのがよい。
【００１８】
また、本発明によれば、前述の特徴を有する支持装置と、前記被支持体としての複数の電極を有するマトリクス駆動型の平面ディスプレイパネルとを備えたことを特徴とする表示装置を提供することができる。
【００１９】
この場合、前記平面ディスプレイパネルのフレームグランドと前記スタンド支柱とを電気的に絶縁するのがより一層好ましい。
【００２０】
【発明の実施の形態】
（実施の形態１）
以下、本発明の第１の実施の形態を図１ないし図４に基づいて説明する。表示装置はＰＤＰを有するカラーテレビジョン受像機である。図１及び図２は各々本発明の第１の実施の形態の表示装置としてのＰＤＰの筐体構成を説明するための図２のＡ部位の断面図及び斜視図である。なお、実施の形態としてのカラーテレビジョン受像機の電磁妨害波の不要輻射に深く関連する構造部分のみを示している。図３は第１の実施の形態のＰＤＰの構成を説明するための斜視図、図４は第１の実施の形態のＰＤＰの電極構造を説明するための斜視図である。なお、図１ないし図４において図１２ないし図１６と同一符号は同一又は相当部分を示している。
【００２１】
図において、本実施の形態のカラーテレビジョン受像機には複数の電極１４を有するマトリクス駆動型の平面ディスプレイパネル、例えばガラス基板等からなるＰＤＰパネル１０が設けられ、ＰＤＰパネル１０の非表示面側には保持板であるシャーシー１１が配置されてＰＤＰパネル１０を保持している。ドライバー駆動回路１３ａ、１３ｂはシャーシー１１の背面側に配置されており、ドライバー駆動回路１３ａ、１３ｂから発生した信号はフレキシブルケーブル１５によってＰＤＰパネル１０の電極１４に伝えられる。
【００２２】
ＰＤＰパネル１０には表示面側の前面ガラス基板２０に維持電極１４ａ、走査電極１４ｂが設けられ、対向する背面ガラス基板２４には書き込み電極１４ｃが形成され、書き込み電極１４ｃの間にはプラズマ放電が隣の電極に影響を及ぼさないように、分離用の隔壁２２が構成されている。書き込み電極１４ｃの上には赤２３ａ、青２３ｂ、緑２３ｃの蛍光体が塗り分けられ、表示面側の前面ガラス基板２０と対向する背面ガラス基板２４との間の放電空間には放電ガスが封入されており、ドライバー駆動回路１３ａ、１３ｂによって選択されたセルがプラズマ放電し、赤２３ａ、青２３ｂ、緑２３ｃのそれぞれの蛍光体が発光することにより、カラー画像が形成される。
【００２３】
シャーシー１１は例えばアルミニウム系材料からなる導電性金属板であり、電気回路的にはＰＤＰパネル１０の電極１４のグランド面である電極グランドとして機能している。
【００２４】
走査・維持電極のドライバー駆動回路１３ａのシグナルグランド（ＳＧ）は点Ｂ、Ｂ’で、書き込み電極のドライバー駆動回路１３ｂのＳＧは点Ｃ、Ｃ’で、シャーシー１１に接地されており、シャーシー１１はドライバー駆動回路１３ａ、１３ｂの帰還電流が流れるグランド面である駆動回路帰還グランドとして機能している。
【００２５】
導電性金属筐体３０は例えばアルミニウム系材料からなる導電性金属板であり、導電性金属筐体３０の前面には導電性前面ガラス３１が設けられ、導電性前面ガラス３１は例えば銀蒸着による導電性膜又は導電性金属メッシュが表面に形成されており、導電性金属筐体３０と導電性前面ガラス３１とは電磁シールドが形成し、電気回路的にはフレームグランド（ＦＧ）として機能している。
【００２６】
金属性筐体３０にはＰＤＰパネル取り付け部材１６が設けられ、ＦＧとして機能する。ＰＤＰパネル取り付け部材１６にはシャーシー１１１が絶縁性のスペーサ１７を介してボルト１８によって取り付けられている。
【００２７】
スタンド１２は例えばアルミニウム系材料からなる導電性金属製の支持台１２ａと、例えばアルミニウム系材料からなる導電性金属製のスタンド支柱１２ｂとから構成され、相互に絶縁性のスペーサ１７を介して連結されている。支持台１２ａとスタンド支柱１２ｂとはスタンド支柱１２ｂの径Ｒよりも大きい寸法の対向部分Ｌをもって接続され、これによりその全体が導電性金属からなる従来のスタンドと同程度の機械的強度を有している。
【００２８】
図１５に示した従来例と図１に示した第１の実施の形態の４２型ＰＤＰテレビの放射ノイズ測定結果の比較を図５に示す。放射ノイズの測定方法はＰＤＰテレビを電波暗室のなかの回転テーブルに設置し、テーブルを回転させて３ｍ遠方の電界強度の最大値を周波数ごとに測定している。
【００２９】
支持台１２ａとスタンド支柱１２ｂとが電気的に絶縁された状態で連結されることにより、ＦＧである筐体３０とスタンド１２との間の高周波電流ループが弱くなり、図５に示すように、スタンド１２の共振が小さくなり、筐体３０とスタンド１２とで形成される電気回路から空中に放射される駆動信号による電磁妨害波の発生が抑制できる。
【００３０】
以上のように、支持台１２ａとスタンド支柱１２ｂとが電気的に絶縁された状態で連結されることにより、平面ディスプレイパネルを支持するスタンド１２が特定の周波数に対して共振しないようにすることができ、従来の構造に比して格段に電磁妨害波の発生を抑えることができる。
【００３１】
（実施の形態２）
次に、本発明の第２の実施の形態を図６に基づいて説明する。表示装置はＰＤＰを有するカラーテレビジョン受像機である。図６は本発明の第２の実施の形態の表示装置としてのＰＤＰの筐体構成を説明するための断面図である。なお、実施の形態としてのカラーテレビジョン受像機の電磁妨害波の不要輻射に深く関連する構造部分のみを示している。なお、図６において図１ないし図４と同一符号は同一又は相当部分を示している。
【００３２】
図６において、第２の実施の形態の表示装置が図１ないし図４に示した第１の実施の形態と異なる点は、支持台１２ａと導電性金属製スタンド支柱１２ｂとを絶縁性スペーサ１７を介して連結することに代え、スタンド１２を支持台１２ａと例えばセラミックである絶縁性スタンド支柱１２ｃとよって構成するようにした点にある。
【００３３】
絶縁性スタンド支柱１２ｃを用いることにより、ＦＧである筐体３０とスタンド１２との間の高周波電流ループが弱くなり、スタンド１２の共振が小さくなり、筐体３０とスタンド１２とで形成される電気回路から空中に放射される駆動信号による電磁妨害波の発生が抑制できる。
【００３４】
以上のように、絶縁性スタンド支柱１２ｃを用いることにより、平面ディスプレイパネルを支持するスタンド１２が特定の周波数に対して共振しないようにすることができ、従来の構造に比して格段に電磁妨害波の発生を抑えることができる。
【００３５】
（実施の形態３）
次に、本発明の第３の実施の形態を図７に基づいて説明する。表示装置はＰＤＰを有するカラーテレビジョン受像機である。図７は本発明の第３の実施の形態の表示装置としてのＰＤＰのスタンド構成を説明するための斜視図であり、実施の形態としてのカラーテレビジョン受像機の電磁妨害波の不要輻射に深く関連する構造部分のみを示している。
【００３６】
図７における第３の実施の形態の表示装置が図１ないし図４に示した第１の実施の形態と異なる点は、支持台１２ａと導電性金属製スタンド支柱１２ｂとを絶縁性スペーサ１７を介して連結することに代え、２つのスタンド支柱１２ｂの間において支持台１２ａにスリット１２ｄを形成し、支持台１２ａの途中を電気的に実質的に絶縁するようにしたした点である。
【００３７】
支持台１２ａにスリット１２ｄを入れることにより、ＦＧである筐体３０とスタンド１２との間の高周波電流ループが弱くなり、スタンド１２の共振が小さくなり、筐体３０とスタンド１２とで形成される電気回路から空中に放射される駆動信号による電磁妨害波の発生が抑制できる。
【００３８】
以上のように、支持台１２ａにスリット１２ｄを入れることによって平面ディスプレイパネルを支持するスタンド１２が特定の周波数に対して共振しないようにすることができ、従来の構造に比して格段に電磁妨害波の発生を抑えることができる。
【００３９】
（実施の形態４）
また、本発明の第４の実施の形態を図８に基づいて説明する。表示装置はＰＤＰを有するカラーテレビである。図８は本発明の第４の実施の形態の表示装置としてのＰＤＰのスタンド構成を説明するための斜視図であり、実施の形態としてのカラーテレビの電磁妨害波の不要輻射に深く関連する構造部分のみを示している。なお、図８において図１ないし図４と同一符号は同一又は相当部分を示してきいる。
【００４０】
図８における第４の実施の形態の表示装置が図１ないし図４に示した第１の実施の形態と異なる点は、支持台１２ａと導電性金属製スタンド支柱１２ｂとを絶縁性スペーサ１７を介して連結することに代え、２つのスタンド支柱１２ｂの間において支持台１２ａに絶縁部１２ｅを介在させるようにした点にある。
【００４１】
支持台１２ａに絶縁部１２ｅを介在させることにより、ＦＧである筐体３０とスタンド１２との間の高周波電流ループが弱くなり、スタンド１２の共振が小さくなり、筐体３０とスタンド１２とで形成される電気回路から空中に放射される駆動信号による電磁妨害波の発生が抑制できる。
【００４２】
以上のように、支持台１２ａに絶縁部１２ｅを設けることにより、平面ディスプレイパネルを支持するスタンド１２が特定の周波数に対して共振しないようにすることでき、従来の構造に比して格段に電磁妨害波の発生を抑えることができる。
【００４３】
上記の実施例では絶縁部１２ｅを介在させた支持台１２ａの２つの台部分が支持台１２の厚さと同じ長さの対向部分をもって接続されている例を示したが、さらに図９に示すように、支持台１２ａの厚さＭよりも大きい対向部分の長さＮをもって接続することにより、機械的な強度も保持された上で、上記効果が得られる。
【００４４】
さらに、図１０に示すようなくさび形の接続構造を採用することにより、左右方向の引っ張り強度が増し、機械的な強度も保持された上で、上記効果が得られる。
【００４５】
また、上記の実施例では支持台１２ａが２つの台部分からなる場合を例に説明したが、本発明はこれに限られるものではなく、例えば図１１に示すように支持台１２ａが３つの台部分からなる場合、あるいは３つ以上の台部分からなる支持装置にも適用でき、機械的な強度も保持された上で、上記効果が得られる。
【００４６】
以上、本発明の説明において、ＰＤＰについて述べたが、本発明はこれに限られるものではなく、液晶等の複数の電極を有するマトリクス駆動型の平面ディスプレイパネルを有する表示装置の全てに適用でき、同様の効果を奏するものである。
【００４７】
なお、上記の実施例ではアルミニウム系材料からなる筐体の場合を例に説明したが、銅系材料等の他の導電性材料からなる筐体を有する表示装置にも同様に適用できる。また、上記の実施例では金属筐体がＦＧである場合を例として述べたが、シャーシー等の他の導電部材をＦＧとして機能させる表示装置にも適用できる。また、上記の実施例では４２型のカラーテレビジョン受像機を例として述べたが、その他のサイズの表示装置にも適用できる。
【００４８】
【発明の効果】
以上述べたように、支持台とスタンド支柱とが電気的に絶縁された状態で連結されることにより、平面ディスプレイパネルを支持するスタンドが特定の周波数に対して共振するのを抑制でき、従来の構造に比べて格段に電磁妨害波の発生を抑えることができる。
【図面の簡単な説明】
【図１】  第１の実施の形態の表示装置としてのＰＤＰの筐体構成を説明するための断面図。
【図２】  第１の実施の形態のＰＤＰの筐体構成を説明するための斜視図。
【図３】  第１の実施の形態のＰＤＰの構成を説明するための斜視図。
【図４】  第１の実施の形態のＰＤＰの電極構造を説明するための斜視図。
【図５】  第１の実施の形態の電磁妨害波低減効果である垂直方向のノイズレベルの電界強度を示すグラフ。
【図６】  第２の実施の形態のＰＤＰの筐体構成を説明するための断面図。
【図７】  第３の実施の形態のＰＤＰのスタンド構成を説明するための斜視図。
【図８】  第４の実施の形態のＰＤＰのスタンド構成を説明するための斜視図及び断面図。
【図９】  第５の実施の形態のＰＤＰのスタンド構成を説明するための断面図。
【図１０】  第６の実施の形態のＰＤＰのスタンド構成を説明するための断面図。
【図１１】  第７の実施の形態のＰＤＰのスタンド構成を説明するための断面図。
【図１２】  従来のＰＤＰの構成を説明するための斜視図。
【図１３】  従来のＰＤＰの電極構造を説明するための斜視図。
【図１４】  従来のＰＤＰのスタンド共振を説明するための斜視図。
【図１５】  従来の他のＰＤＰの筐体構成を説明するための断面図。
【図１６】  従来の他のＰＤＰの筐体構成を説明するための斜視図。
【符号の説明】
１０  ＰＤＰパネル
１１  シャーシー
１２  スタンド
１２ａ  支持台
１２ｂ  スタンド支柱
１２ｃ  絶縁性スタンド支柱
１２ｄ  支持台のスリット
１２ｅ  支持台の絶縁部
１３ａ  ドライバー駆動回路（走査、維持電極）
１３ｂ  ドライバー駆動回路（書き込み電極）
１４  電極
１４ａ  維持電極
１４ｂ  走査電極
１４ｃ  書き込み電極
１５  フレキシブルケーブル
１６  ＰＤＰパネル取り付け部材
１７  絶縁性のスペーサ
１８  ボルト
２０  前面ガラス基板
２１  誘電体層
２２  隔壁
２３ａ  赤色蛍光体
２３ｂ  青色蛍光体
２３ｃ  緑色蛍光体
２４  背面ガラス基板
３０  導電性金属筐体
３１  導電性前面ガラス
４０  電流ベクトル
４１  高周波電流ループ
【図１】
0003733325.tif 000002
【図２】
0003733325.tif 000003
【図３】
0003733325.tif 000004
【図４】
0003733325.tif 000005
【図５】
0003733325.tif 000006
【図６】
0003733325.tif 000007
【図７】
0003733325.tif 000008
【図８】
0003733325.tif 000009
【図９】
0003733325.tif 000010
【図１０】
0003733325.tif 000011
【図１１】
0003733325.tif 000012
【図１２】
0003733325.tif 000013
【図１３】
0003733325.tif 000014
【図１４】
0003733325.tif 000015
【図１５】
0003733325.tif 000016
【図１６】
0003733325.tif 000017